(57)【要約】【課題】電力線通信により複数の照明装置を制御する照明システムにおいて、照明装置が複数の電力線に分散して設置される場合に、照明システムの施工コストを抑えつつ、照明システムの施工を容易にする。【解決手段】照明システム１は、電力線通信を実行可能に構成されたコントローラ１と、電力線通信を実行可能に構成された親機２と、親機２と通信可能な照明装置３，４とを含む照明ユニット２００と、を備える。親機２は、コントローラ１と電力線通信によって通信を行う一方、照明装置３，４と、電力線通信とは異なる通信手段によって、通信を行う。照明装置３，４は、それぞれ、コントローラ１と親機２とが電力線通信を行う電力線Ｌ１と異なる電力線Ｌ２，Ｌ３に接続されている。【選択図】図１
2020087752.tif 000002
【特許請求の範囲】
【請求項１】
電力線通信を実行可能に構成されたコントローラと、
電力線通信を実行可能に構成された親機と、前記親機と通信可能な一つ以上の照明装置とを含む照明ユニットと、を備え、
前記親機は、前記コントローラと電力線通信によって通信を行う一方、電力線通信とは異なる通信手段によって、前記照明装置と通信を行い、
前記照明装置のうちの少なくとも一つは、前記コントローラと前記親機とが電力線通信を行う第１電力線と異なる電力線に接続されることを特徴とする照明システム。
【請求項２】
請求項１記載の照明システムにおいて、
前記第１電力線は、非常用電源から電力が供給されることを特徴とする照明システム。
【請求項３】
請求項１記載の照明システムにおいて、
前記照明ユニットを、複数個、備え、
前記コントローラは、前記第１電力線を含む複数の電力線を介して電力線通信が実行可能に構成され、
前記各照明ユニットが備える前記親機は、前記複数の電力線のいずれかに接続されており、当該電力線を介して、前記コントローラと電力線通信を行うことを特徴とする照明システム。
【請求項４】
請求項１〜３のうちいずれか１項記載の照明システムにおいて、
前記照明装置のうちの少なくとも一つは、前記親機との通信が途絶したとき、所定の態様で光源を点灯させる照明装置であることを特徴とする照明システム。
【発明の詳細な説明】
【技術分野】
【０００１】
本発明は、複数の電力線に分散して設置された複数の照明装置を制御する照明システムに関する。
【背景技術】
【０００２】
照明システムでは、照明装置が複数の電源系統に分けて設置される場合がある。例えば、駅のホームに設けられる照明システムでは、非常事態発生時に駅のプラットホーム内の照度を確保するため、照明装置が複数の電源系統に分散して設置される。
【０００３】
複数の電源系統に分散して設置された照明装置を制御するために、いくつかの構成が考えられる。例えば、コントローラから各照明装置に調光信号を送信する構成では、コントローラと照明装置との間で調光信号を送受信するための信号線を別途敷設する必要があり、施工性が低い。また、調光器を用いて各照明装置を制御する構成では、電源系統が複数であること、照明装置の設置数が多いことから、好ましくない。
【０００４】
そこで、電力線通信（ＰＬＣ通信：Power Line Communication）により、コントローラから照明装置に調光信号を送信して、各照明装置を制御する構成が考えられる。例えば、特許文献１では、照明システムにおいて、通信時間の短縮及び通信信頼性の向上を図るために、電力線通信によって制御する照明器具をグループ単位に分け、グループ親機とコントローラ間の信号搬送周波数と、グループ親機と子機間の信号搬送周波数とを区別する構成が開示されている。
【先行技術文献】
【特許文献】
【０００５】
【特許文献１】特許第５３９９８８２号公報
【発明の概要】
【発明が解決しようとする課題】
【０００６】
しかし、特許文献１の構成では、照明システム内の全ての照明器具に電力線通信部を備える必要があり、照明システムの施工コストが増大する。また、照明システム内の全ての照明装置に電力線通信用のアドレスを設定する必要があり、照明システムの初期設定が複雑となる。
【０００７】
本発明は、電力線通信により複数の照明装置を制御する照明システムにおいて、複数の照明装置が複数の電力線に分散して設置される場合に、照明システムの施工を、コストを抑えつつ、容易にすることを目的とする。
【課題を解決するための手段】
【０００８】
上記の目的を達成するために、照明システムは、電力線通信を実行可能に構成されたコントローラと、電力線通信を実行可能に構成された親機と、前記親機と通信可能な一つ以上の照明装置とを含む照明ユニットと、を備える。前記親機は、前記コントローラと電力線通信によって通信を行う一方、電力線通信とは異なる通信手段によって、前記照明装置と通信を行う。前記照明装置のうちの少なくとも一つは、前記コントローラと前記親機とが電力線通信を行う第１電力線と異なる電力線に接続される。
【発明の効果】
【０００９】
本発明によると、電力線通信により複数の照明装置を制御する照明システムにおいて、複数の照明装置が複数の電力線に分散して設置される場合に、照明システムの施工を、コストを抑えつつ、容易にすることができる。
【図面の簡単な説明】
【００１０】
【図１】図１は、第1実施形態に係る照明システムの構成例を示すブロック図である。
【図２】図２は、第1実施形態に係る照明システムの照明ユニットの接続例を示す図である。
【図３】図３は、第２実施形態に係る照明システムの構成例を示すブロック図である。
【図４】図４は、第２実施形態に係る照明システムの照明ユニットの接続例を示す図である。
【図５】図５は、第３実施形態に係る照明システムの構成例を示すブロック図である。
【図６】図６は、第３実施形態に係る照明システムの照明ユニットの接続例を示す図である。
【発明を実施するための形態】
【００１１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１２】
（第１実施形態）
−照明システムの全体構成−
図１は第１実施形態に係る照明システムの構成例を示すブロック図である。図１に示すように、照明システム１は、システム全体を制御するコントローラ１００と、照明ユニット２００とを備える。照明ユニット２００は、親機２と、照明装置３，４とを備える。コントローラ１００は、電力線Ｌ１，Ｌ２，Ｌ３と接続されている。親機２および照明装置３，４は、それぞれ、電力線Ｌ１，Ｌ２，Ｌ３と接続されている。電力線Ｌ１，Ｌ２，Ｌ３は、それぞれ、電源ＡＣ１，ＡＣ２，ＡＣ３、および、ブレーカＢＫ１，ＢＫ２，ＢＫ３と接続されている。
【００１３】
コントローラ１００と親機２とは、電源ＡＣ１から交流電力の供給を受けつつ、電力線Ｌ１を介して電力線通信を実行する。また、照明装置３，４は、それぞれ、電力線Ｌ２，Ｌ３を介して、電源ＡＣ２，ＡＣ３から交流電力の供給を受けるが、コントローラ１００と電力線通信を実行しない。ブレーカＢＫ１，ＢＫ２，ＢＫ３は、それぞれ、電力線Ｌ１，Ｌ２，Ｌ３に異常な電流が流れたときに、電源ＡＣ１，ＡＣ２，ＡＣ３から電力線Ｌ１，Ｌ２，Ｌ３に供給される交流電力を遮断する。また、電源ＡＣ２，ＡＣ３は、例えば、５０Ｈｚまたは６０Ｈｚの交流電力を供給する商用電源である。
【００１４】
また、電源ＡＣ１は、商用電源ＡＣ４と、非常用電源ＡＣ５と、スイッチＳＷとを備える。商用電源ＡＣ４は、例えば、５０Ｈｚまたは６０Ｈｚの交流電力を供給する電源である。非常用電源ＡＣ５は、商用電源からの電力供給が停止した時のような非常時に利用される電源であり、例えば、停電発生時に内蔵された電池から電力を供給する無停電電源装置（ＵＰＳ：Uninterruptible Power Supply）等である。スイッチＳＷは、電力線Ｌ１の接続先を、商用電源ＡＣ４と非常用電源ＡＣ５とのいずれかに設定する。照明システム１では、平常運転時には、商用電源ＡＣ４からコントローラ１００および親機２へ交流電力が供給される。一方で、照明システム１では、商用電源ＡＣ４から交流電力の供給が停止した時には、非常用電源ＡＣ５からコントローラ１００および親機２へ交流電力が供給されるように、スイッチＳＷにより電力線Ｌ１の接続先が商用電源ＡＣ４から非常用電源ＡＣ５に切り替えられる。
【００１５】
コントローラ１００は、コントローラ１００の操作者の操作入力に応じた調光信号を生成して、電力線通信にて調光信号を送信する。親機２および照明装置３，４は、コントローラ１００から送信される調光信号に基づき、自己の光源（光源２３，３３，４３）の態様（光源の光量、色彩等）を変化させる。すなわち、照明システム１では、コントローラ１００を操作することにより親機２および照明装置３，４の光源２３，３３，４３の態様を変化させることができる。
【００１６】
−コントローラの構成−
コントローラ１００は、電源部１０と、操作部１１と、記憶部１２と、制御部１３と、ＰＬＣ通信部１４とを備える。
【００１７】
電源部１０は、電力線Ｌ１を介して電源ＡＣ１から交流電力の供給を受ける。電源部１０に供給された交流電力は、図略の電力供給手段（例えば、電力線等）によりコントローラ１００の各部に供給され、コントローラ１００を動作させる。なお、電源部１０は、電源ＡＣ２または電源ＡＣ３から交流電力の供給を受けてもよい。
【００１８】
操作部１１は、コントローラ１００の操作者からの操作入力を受け付ける。操作部１１は、例えば、キーボード、マウス、タッチパネル、フェーダ等の入力装置であり、親機２および照明装置３，４のそれぞれの光源２３，３３，４３の態様（例えば、光量、色彩等を含む）を変化させるために行われた操作入力を検出し、検出結果に応じた信号を制御部１３に入力する。なお、コントローラ１００に表示部を設けて、表示部に、親機２および照明装置３，４のそれぞれの光源２３，３３，４３の態様を表示させてもよい。
【００１９】
記憶部１２は、ＲＯＭ（Read Only Memory)、ＲＡＭ（Random Access Memory）、ＨＤＤ（Hard Disk Drive）およびＳＳＤ(Solid State Drive)等によって構成された記憶媒体である。記憶部１２には、制御部１３が実行する各種プログラムが記憶されている。
【００２０】
制御部１３は、例えば、ＣＰＵ（Central Processing Unit）および半導体メモリ等を含むマイクロコンピュータで構成される。制御部１３は、記憶部１２に記憶された各種プログラムを実行することにより、親機２との間で電力線通信を実行する。具体的には、制御部１３は、操作部１１から入力された信号に基づき、親機２および照明装置３，４の光源２３，３３，４３の態様を示す制御値を含む調光信号を生成し、生成した調光信号をＰＬＣ通信部１４に出力する。制御部１３は、例えば、照明システム１に含まれる全ての光源（例えば、光源２３，３３，４３）の態様を示す制御値を含む調光信号を生成してもよい。また、制御部１３は、特定の光源の態様を示す制御値（例えば、照明装置３の光源３３の態様を示す制御値）のみを含む調光信号を生成して出力してもよい。
【００２１】
ＰＬＣ通信部１４は、制御部１３から出力された調光信号を、電力線Ｌ１，Ｌ２，Ｌ３から供給される交流電力の周波数よりも高い周波数に変調して、電力線Ｌ１，Ｌ２，Ｌ３のそれぞれに出力する。具体的には、ＰＬＣ通信部１４は、制御部１３が生成した調光信号を２ＭＨｚ〜２８ＭＨｚの直交周波数分割多重方式（ＯＦＤＭ）に変調する。ＰＬＣ通信部１４は、変調した調光信号を、電力線Ｌ１，Ｌ２，Ｌ３から供給されるそれぞれの交流電力に重畳して、電力線Ｌ１，Ｌ２，Ｌ３に出力する。
【００２２】
−照明ユニットの構成−
照明ユニット２００は、親機２と、照明装置３，４とを備える。
【００２３】
親機２は、電源部２０と、ＰＬＣ通信部２１と、光源制御部２２と、光源２３と、信号通信部２４とを備える。
【００２４】
電源部２０は、電力線Ｌ１を介して、電源ＡＣ１から交流電力の供給を受ける。電源部２０に供給された交流電力は、光源制御部２２を介して光源２３に供給される。
【００２５】
ＰＬＣ通信部２１は、電力線Ｌ１を介して供給された交流電力から、交流電力に重畳された調光信号を分離して、調光信号を復号する。ＰＬＣ通信部２１は、復号した調光信号を光源制御部２２および信号通信部２４に入力する。
【００２６】
光源制御部２２は、例えば、ＣＰＵおよび半導体メモリ等を含むマイクロコンピュータで構成される。光源制御部２２は、ＰＬＣ通信部２１から入力された調光信号に含まれる光源２３の制御値に基づき、光源２３に供給する電力量等を変化させ、光源２３の態様を変化させる。なお、光源制御部２２は、ＰＬＣ通信部２１から入力された調光信号に基づき、光源２３に供給される電力量等を変化させる電気回路でもよい。
【００２７】
信号通信部２４は、電力線通信とは異なる通信手段で、ＰＬＣ通信部２１から受けた調光信号を照明装置３，４に送信する。信号通信部２４は、例えば、親機２と照明装置３，４とを結合する結合部材を介して、ＰＬＣ通信部２１から受信した調光信号を照明装置３，４に送信する。また、信号通信部２４は、ブルートゥース（Bluetooth、登録商標）等の近距離無線通信により、ＰＬＣ通信部２１から受信した調光信号を、照明装置３，４に送信してもよい。
【００２８】
また、信号通信部２４は、ＰＬＣ通信部２１から入力された調光信号と同一の制御値を含む調光信号を、ブロードバンドキャスト方式で照明装置３，４に送信してもよい。また、信号通信部２４は、ＰＬＣ通信部２１から入力された調光信号に含まれる制御値のうち、特定の制御値のみを含む調光信号を、照明装置３，４ごとに送信してもよい。例えば、信号通信部２４は、入力された調光信号から光源３３の態様を示す制御値のみを含む調光信号を照明装置３に送信してもよい。
【００２９】
照明装置３は、電源部３０と、信号通信部３１と、光源制御部３２と、光源３３とを備える。
【００３０】
電源部３０は、電力線Ｌ２を介して電源ＡＣ２から交流電力の供給を受ける。電源部３０に供給された交流電力は、光源制御部３２を介して光源３３に供給される。
【００３１】
信号通信部３１は、親機２から送信された調光信号を受信して、受信した調光信号を光源制御部３２に入力する。
【００３２】
光源制御部３２は、親機２の光源制御部２２と同様に構成される。すなわち、光源制御部３２は、信号通信部３１から入力された調光信号に含まれる光源３３の制御値に基づき、光源３３に供給する電力量等を変化させ、光源３３の態様を変化させる。
【００３３】
照明装置４は、電源部４０と、信号通信部４１と、光源制御部４２と、光源４３とを備える。
【００３４】
電源部４０は、電力線Ｌ３を介して電源ＡＣ３から交流電力の供給を受ける。電源部４０に供給された交流電力は、光源制御部４２を介して光源４３に供給される。
【００３５】
信号通信部４１と、光源制御部４２と、光源４３とは、それぞれ、照明装置３の信号通信部３１と、光源制御部３２と、光源４３と同様に構成される。すなわち、信号通信部４１は、親機２から送信された調光信号を受信して、受信した調光信号を光源制御部４２に入力する。光源制御部４２は、信号通信部４１から入力された調光信号に含まれる光源４３の制御値に基づき、光源４３に供給する電力量を変化させ、光源４３の態様を変化させる。
【００３６】
また、照明装置３，４は、それぞれ、電力線Ｌ２，Ｌ３を介して、電源ＡＣ２，ＡＣ３から交流電力の供給を受けるが、コントローラ１００から送信された調光信号を受信しない。すなわち、照明装置３，４は、コントローラ１００と電力線通信を行わない。
【００３７】
−照明システムの動作−
次に、図１を参照して、照明システムの動作を説明する。
【００３８】
コントローラ１００の制御部１３は、操作部１１から入力された信号に基づき、調光信号を生成する。制御部１３は、生成した調光信号をＰＬＣ通信部１４に入力する。ＰＬＣ通信部１４は、制御部１３から出力された調光信号を受けて、電源ＡＣ１，ＡＣ２，ＡＣ３から供給されるそれぞれの交流電力に調光信号を重畳して、電力線Ｌ１，Ｌ２，Ｌ３に出力する。
【００３９】
親機２のＰＬＣ通信部２１は、電力線Ｌ１から供給される交流電力から、交流電力に重畳された調光信号を分離する。ＰＬＣ通信部２１は、交流電力から分離した調光信号を光源制御部２２と信号通信部２４とに入力する。光源制御部２２は、入力された調光信号に含まれる光源２３の制御値に基づいて、光源２３の態様を変化させる。信号通信部２４は、入力された調光信号を、電力線通信とは異なる通信手段により（例えば、親機２と照明装置３，４とを結合する結合部材を介して）、照明装置３，４に送信する。
【００４０】
照明装置３の信号通信部３１は、親機２の信号通信部２４から送信された調光信号を受信する。信号通信部３１は、受信した調光信号を光源制御部３２に出力する。光源制御部３２は、信号通信部３１から入力された調光信号に基づいて、光源３３の態様を変化させる。
【００４１】
また、照明装置４の信号通信部４１は、親機２の信号通信部２４から送信された調光信号を受信する。信号通信部４１は、受信した調光信号を光源制御部４２に出力する。光源制御部４２は、信号通信部４１から入力された調光信号に基づいて、光源４３の態様を変化させる。
【００４２】
ここで、照明ユニット２００の照明装置３，４は、いずれも、電力線通信を行う機能を有さないため、コントローラ１００から電力線Ｌ２，Ｌ３に出力された調光信号を受信しない。
【００４３】
以上のように、本実施形態に係る照明システム１では、照明ユニット２００は、親機２と照明装置３，４とを含む。コントローラ１００は、電力線Ｌ１を介した電力線通信により、親機２に調光信号を送信する。そして、親機２は、電力線通信とは異なる通信手段により、コントローラ１００から受信した調光信号を照明装置３，４に送信する。また、照明装置３，４は、コントローラ１００および親機２が接続された電力線Ｌ１と異なる電力線Ｌ２，Ｌ３と、それぞれ接続されている。この構成により、照明装置３，４に電力線通信機能を備える必要がなくなるので、照明システムの施工コストを抑制することができる。これに伴い、照明装置３，４に電力線通信用のアドレスを設定する必要がなくなるため、照明システムの施工が容易となる。
【００４４】
図２は、照明システムの照明ユニットの接続例を示す図である。なお、図２では、コントローラ１００、親機２および照明装置３，４の内部構成を省略して図示している。
【００４５】
図２では、照明システム１は、１つのコントローラ１００と、複数の照明ユニット２００と、を備える。照明ユニット２００の親機２は、いずれも電力線Ｌ１に接続されている。
【００４６】
照明システム１では、コントローラ１００および親機２は、通常運転時、電力線Ｌ１を介して、電源ＡＣ１の商用電源ＡＣ４から交流電力の供給を受けるとともに、電力線通信を行う。また、照明システム１では、商用電源ＡＣ４からの交流電力の供給が停止したとき、非常用電源ＡＣ５からコントローラ１００および親機２へ交流電力が供給されるように、スイッチＳＷにより電力線Ｌ１の接続先が商用電源ＡＣ４から非常用電源ＡＣ５に切り替えられる。
【００４７】
例えば、非常事態が発生（地震などの発生）して、電源ＡＣ２，ＡＣ３および商用電源ＡＣ４から照明システム１への交流電力の供給が停止したとする。このとき、スイッチＳＷは、電力線Ｌ１の接続先を商用電源ＡＣ４から非常用電源ＡＣ５に切り替える。このため、コントローラ１００および親機２は、電力線Ｌ１を介して、交流電力の供給を受けることができるとともに、電力線通信を行うことができる。これにより、非常事態が発生しても親機２の光源２３を点灯させることができるため、非常事態発生時に敷地内（例えば、駅のプラットホーム内）の照度を確保することができる。
【００４８】
（第２実施形態）
図３は、第２実施形態に係る照明システムの構成例を示すブロック図である。図３の構成は、基本的に図１と同様であるが、親機２および照明装置３，４の接続される電力線が異なる。
【００４９】
親機２は、電力線Ｌ２に接続され、電源ＡＣ２から交流電源の供給を受ける。照明装置３Ａ，４Ａは、ぞれぞれ、電力線Ｌ３，Ｌ１に接続され、電源ＡＣ３，ＡＣ１から交流電力の供給を受ける。
【００５０】
親機２のＰＬＣ通信部２１は、電力線Ｌ２を介して、コントローラ１００のＰＬＣ通信部１４から送信された調光信号を受信する。すなわち、コントローラ１００と親機２とは、電力線Ｌ２を介して、電力線通信を行う。また、照明装置３Ａ，４Ａは、それぞれ、電力線Ｌ３，Ｌ１を介して、コントローラ１００と電力線通信を行わない。
【００５１】
図４は、第２実施形態に係る照明システムの照明ユニットの接続例を示す図である。照明システム１は、照明ユニット２００と照明ユニット２０１とを備える。なお、図４では、コントローラ１００、親機２、および、照明装置３，３Ａ，４，４Ａの内部構成を省略して図示している。
【００５２】
コントローラ１００は、電力線Ｌ１を介して、照明ユニット２００の親機２に調光信号を送信する。照明ユニット２００の親機２は、コントローラ１００から受信した調光信号を、電力線通信と異なる通信手段により（例えば、親機２と照明装置３，４とを結合する結合部材を介して）、照明装置３，４に送信する。
【００５３】
また、コントローラ１００は、電力線Ｌ２を介して、照明ユニット２０１の親機２に調光信号を送信する。照明ユニット２０１の親機２は、コントローラ１００から受信した調光信号を、電力線通信と異なる通信手段により、照明装置３Ａ，４Ａに送信する。
【００５４】
同様に、照明ユニット２００（照明ユニット２０１）の親機２を電力線Ｌ３に接続すれば、コントローラ１００は、電力線Ｌ３を介して、親機２に調光信号を送信する。そして、親機２は、電力線通信と異なる通信手段により、コントローラ１００から受信した調光信号を、照明ユニット２００（照明ユニット２０１）の照明装置３，４（照明装置３Ａ，４Ａ）に送信する。
【００５５】
この構成により、電力線Ｌ１，Ｌ２，Ｌ３のいずれかの電力線に親機２を接続することによって、照明ユニット２００（照明ユニット２０１）の親機２および照明装置３，４（照明装置３Ａ，４Ａ）の光源２３，３３，４３を制御することができる。このため、照明システム１の施工性が向上する。
【００５６】
ここで、照明ユニット２０１の照明装置３Ａ，４Ａは、それぞれ、記憶部３４，４４をさらに備える。記憶部３４，４４は、例えば、ＲＯＭ（Read Only Memory)、ＲＡＭ（Random Access Memory）、ＨＤＤ（Hard Disk Drive）およびＳＳＤ(Solid State Drive)等によって構成された記憶媒体である。記憶部３４，４４には、それぞれ、光源３３，４３の態様を示す所定の制御値が記憶されている。
【００５７】
例えば、非常事態が発生（地震などの発生）して、電源ＡＣ２から照明システム１への交流電力の供給が停止したとする。このとき、照明ユニット２０１の親機２に電源ＡＣ２から交流電力が供給されないため、親機２の信号通信部２４から、照明装置３Ａの信号通信部３１と、照明装置４Ａの信号通信部４１とへの調光信号の送信が停止する。すなわち、親機２と照明装置３Ａ，４Ａとの間の通信がそれぞれ途絶することとなる。
【００５８】
照明装置３Ａの光源制御部３２は、所定時間、信号通信部３１から調光信号の入力がないとき、すなわち、所定時間、信号通信部３１が調光信号を受信していないとき、親機２との通信が途絶したと判断する。そして、光源制御部３２は、記憶部３４から光源３３の態様を示す所定の制御値を読み出して、所定の制御値に基づいて光源３３を点灯させる。同様に、照明装置４Ａの光源制御部４２は、所定時間、信号通信部４１から調光信号の入力がないとき、親機２との通信が途絶したと判断して、記憶部４４から光源４３の態様を示す所定の制御値を読み出して、所定の制御値に基づいて光源４３を点灯させる。
【００５９】
この構成により、非常事態が発生して、親機２から照明装置３，４への調光信号の送信が停止したとしても、照明装置３Ａ，４Ａの光源３３，４３を所定の態様で点灯させることができる。これにより、非常事態発生時に敷地内（例えば、駅のプラットホーム内）の照度を確保することができる。
【００６０】
なお、記憶部３４，４４に記憶されている所定の制御値は、予め定められていてもよい。また、記憶部３４，４４には、それぞれ、親機２と通信が途絶する直前に、信号通信部３１，４１が受信した調光信号に含まれる光源３３，４３の態様を示す制御値が所定の制御値として格納されてもよい。また、記憶部３４，４４には、それぞれ、コントローラ１００の操作部１１により設定された光源３３，４３の態様を示す制御値が所定の制御値として格納されてもよい。
【００６１】
（第３実施形態）
図５は、第３実施形態に係る照明システムの構成例を示すブロック図である。図６は、第３実施形態に係る照明システムの照明ユニットの接続例を示す図である。なお、図５では、照明装置５Ｂ〜７Ｂを省略して図示している。また、図６では、コントローラ１００、親機２および照明装置３Ｂ〜７Ｂの内部構成を省略して図示している。
【００６２】
照明システム１は、コントローラ１００と照明ユニット２０２とを備える。照明ユニット２０２は、親機２と照明装置３Ｂ〜７Ｂとを備える。照明装置３Ｂ〜７Ｂは、それぞれ、照明装置３Ａ（または照明装置４Ａ）と同様に構成されるが、接続される電力線および照明ユニット内の調光信号の伝送方法が異なる。
【００６３】
コントローラ１００、親機２および照明装置５Ｂは、電力線Ｌ１に接続され、電力線Ｌ１を介して、電源ＡＣ１から交流電力の供給を受けている。親機２は、電力線Ｌ１を介して、コントローラ１００と電力線通信を行うことができる。照明装置３Ｂ，６Ｂは、電力線Ｌ２に接続され、電力線Ｌ２を介して、電源ＡＣ２から交流電力の供給を受けている。照明装置４Ｂ，７Ｂは、電力線Ｌ３に接続され、電力線Ｌ３を介して、電源ＡＣ３から交流電力の供給を受けている。なお、照明装置３Ｂ〜７Ｂは、いずれも、電力線Ｌ１〜Ｌ３を介して、コントローラ１００と電力線通信を実行しない。
【００６４】
照明装置３Ｂ〜７Ｂは、照明装置３Ａ，４Ａと同様に、それぞれが記憶部を備える。記憶部には、照明装置３Ｂ〜７Ｂのそれぞれが備える光源の態様を示す所定の制御値が記憶されている。
【００６５】
親機２と照明装置３Ｂ〜７Ｂとは、結合部材８により結合され、結合部材８を介して通信が行われる。結合部材８には、通信用の信号線が内蔵されている。具体的には、親機２の信号通信部２４は、結合部材８を介して、ＰＬＣ通信部２１から入力された調光信号を、照明装置３Ｂの信号通信部３１Ｂと、照明装置７Ｂの信号通信部とに送信する。照明装置３Ｂの信号通信部３１Ｂは、親機２の信号通信部２４から調光信号を受信すると、結合部材８を介して、受信した調光信号と同一の制御値を含む調光信号を照明装置４Ｂの信号通信部４１Ｂに送信する。同様に、照明装置４Ｂの信号通信部４１Ｂは、照明装置３Ｂの信号通信部３１Ｂから調光信号を受信すると、結合部材８を介して、受信した調光信号と同一の制御値を含む調光信号を照明装置５Ｂの信号通信部に送信する。照明装置５Ｂの信号通信部は、照明装置４Ｂの信号通信部４１Ｂから調光信号を受信すると、結合部材８を介して、受信した調光信号と同一の制御値を含む調光信号を照明装置６Ｂの信号通信部に送信する。すなわち、照明ユニット２０２の照明装置３Ｂ〜６Ｂは、親機２から送信された調光信号を、結合部材８を介して、リレー方式で照明装置３Ｂ〜６Ｂのそれぞれに伝送する。
【００６６】
例えば、非常事態が発生（地震などの発生）して、電源ＡＣ２，ＡＣ３から照明システム１への交流電力の供給が停止する場合がある。このとき、照明装置３Ｂ，４Ｂに電源ＡＣ２，ＡＣ３から交流電力が供給されないため、照明装置３Ｂから照明装置４Ｂへの調光信号の送信、および、照明装置４Ｂから照明装置５Ｂへの調光信号の送信が停止される。すなわち、照明装置５Ｂは、親機２との通信が途絶することとなる。
【００６７】
照明装置５Ｂの光源制御部は、所定時間、照明装置５Ｂの信号通信部から調光信号の入力がないとき、すなわち、所定時間、照明装置４Ｂの信号通信部４１から調光信号の送信がないときは、親機２（照明装置４Ｂ）との通信が途絶したと判断して、自己の記憶部から光源の態様を示す所定の制御値を読み出して、所定の制御値に基づいて自己の光源を点灯させる。
【００６８】
この構成により、照明システム１が、親機２が受信した調光信号を照明装置から他の照明装置へリレー方式で伝送する照明ユニット２０２を備える場合において、一部の照明装置（例えば、照明装置３Ｂ，４Ｂ）に電力が供給されなくなり、親機２からの調光信号が受信できないときでも、照明装置（例えば、照明装置５Ｂ）は、自己の記憶部から読み出した所定の制御値に基づいて、自己の光源を点灯させる。これにより、非常事態発生時に、敷地内（例えば、駅のプラットホーム内）の照度を確保することができる。
【００６９】
なお、照明ユニット２０２の照明装置３Ｂ〜６Ｂは、電力線通信、および、結合部材８を介した通信以外の通信方法（例えば、近距離無線通信など）により、親機２から受信した調光信号をリレーして伝送してもよい。
【００７０】
（その他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００７１】
なお、上記実施形態において、照明ユニット２００，２０１に２つの照明装置が含まれるが、これに限られず、照明ユニット２００，２０１に１または３以上の照明装置が含まれてもよい。同様に、照明ユニット２０２に１〜３または５以上の照明装置が含まれてもよい。
【００７２】
また、上記実施形態において、照明ユニット２００〜２０２のいずれも１つの親機を含むが、これに限られず、照明ユニット２００〜２０２が２以上の親機を含んでもよい。
【００７３】
また、照明ユニット２００の照明装置３，４のそれぞれに、照明ユニット２０１の照明装置３Ａ，４Ａの記憶部３４，４４と同様の記憶部を備えて、親機２との通信が途絶したときに、記憶部から読み出した所定の制御値に基づいて、光源３３，４３を点灯させてもよい。
【００７４】
また、上記実施形態において、電源ＡＣ１〜ＡＣ３からの交流電力の供給が停止することにより、親機２と照明装置３，４との通信が途絶するとしたが、これに限られない。例えば、親機２から照明装置３，４へブルートゥース等の近距離無線通信により調光信号を送信する場合では、照明装置３，４が親機２からの無線信号を受信できないとき、親機２と照明装置３，４との通信が途絶したとしてもよい。また、親機２と照明装置３，４とが結合部材８を介して調光信号を送受信する場合では、結合部材８内部の信号線が切断されたとき、親機２との通信が途絶したとしてもよい。
【産業上の利用可能性】
【００７５】
本発明は、複数の電源系統に分散して照明装置を設置する照明システム、例えば、駅のプラットホーム内に設置される照明システムに適用可能である。
【符号の説明】
【００７６】
Ｌ１〜Ｌ３  電力線
ＡＣ１〜ＡＣ３  電源
ＡＣ５  非常用電源
１００  コントローラ
１４  ＰＬＣ通信部
２００，２０１，２０２  照明ユニット
２  親機
２１  ＰＬＣ通信部
２４  信号通信部
３，３Ａ，３Ｂ  照明装置
３１  信号通信部
４，４Ａ，４Ｂ  照明装置
４１  信号通信部
【図１】
2020087752.tif 000003
【図２】
2020087752.tif 000004
【図３】
2020087752.tif 000005
【図４】
2020087752.tif 000006
【図５】
2020087752.tif 000007
【図６】
2020087752.tif 000008